(57)【要約】【目的】  本発明の目的は、反りや歪みのある取付面に取り付けた場合であっても、蛍光ランプを直線的に保持することができ且つ蛍光ランプとの安定した電気接続を図ることができる照明装置を提供する。【構成】  蛍光ランプＬの口金２０から突出したピン２１が接続されるソケット部１００と、このソケット部１００を支持する支持板２００と、ソケット部１００を支持板２００に揺動可能に取り付けるための取付手段３００と、蛍光ランプＬの口金２０を弾性保持する保持部４００と、ソケット部１００の接続面を露出させた状態で、ソケット部１００、支持板２００、取付手段３００及び保持部４００の基端部を収容する筐体５００とを備え、筐体５００の両内壁面( 即ち、幅方向の両内壁面) には、一対の第１の溝部５１１が長さ方向に沿って設けられている。この第１の溝部５１１には、支持板２００が揺動可能に遊嵌する。【選択図】      図５
2008218211.tif 000002
【特許請求の範囲】
【請求項１】
蛍光ランプの口金から突出したピンが接続されるソケット部と、このソケット部を支持する支持板と、前記ソケット部の接続面を露出させた状態で、当該ソケット部及び支持板を収容する筐体とを備えており、
前記筐体の幅方向の両内壁面には、幅寸法が前記支持板の厚み寸法よりも若干大きい一対の溝部が長さ方向に沿って設けられており、
前記支持板は前記一対の溝部に遊嵌されるようになっていることを特徴とすることを特徴とする照明装置。
【請求項２】
請求項１記載の照明装置において、前記支持板に前記ソケット部を揺動可能に取り付けるための取付手段を有し、この取付手段は、前記ソケット部に前記支持板を取り付ける取付部材と、この取付部材と前記支持板との間に介在するスプリングとを有した構成となっていることを特徴とする照明装置。
【請求項３】
請求項１又は２記載の照明装置において、先端部が前記ソケット部の接続面よりも上方に突出し且つ前記蛍光ランプの口金を弾性保持する保持部を有し、
前記ソケット部の接続面には前記保持部に保持されることより前記蛍光ランプの口金に押圧されるパッキン部が設けられていることを特徴とする照明装置。
【請求項４】
請求項１記載の照明装置において、前記支持板は、前記一対の溝部に前記筐体の長さ方向に沿って移動自在に嵌まり込んでおり、前記筐体の長さ方向の一方の内壁面と前記ソケット部との間には弾性体が介在していることを特徴とする照明装置。
【請求項５】
請求項４記載の照明装置において、前記ソケット部の前記長さ方向の一端部には、蛍光ランプの口金が当接する突起部が設けられていることを特徴とする照明装置。
【請求項６】
請求項５記載の照明装置において、前記突起部は蛍光ランプの口金をガイドし、当該蛍光ランプのピンを前記ソケット部の接続面の接続穴に挿入させるようになっていることを特徴とする照明装置。
【発明の詳細な説明】
【技術分野】
【０００１】
本発明は蛍光ランプを使用した照明装置に関する。
【背景技術】
【０００２】
この種の照明装置としては、長さ方向の両端部に当該長さ方向と直交する方向に向けて口金が設けられた蛍光ランプの口金から突出したピンと接続される一対のソケット部と、このソケット部が収容される筐体とを有したものがある( 特許文献１参照) 。
【０００３】
【特許文献１】特開平０９−１１５６２７号公報
【発明の開示】
【発明が解決しようとする課題】
【０００４】
ところが、前記照明装置は、一対のソケット部が同一の支持板に取り付けられ、筐体に収容されるようになっている。このため、前記照明装置の取付面に反りや歪みがある場合、前記取付面の反りや歪みに応じて筐体及び支持板が反る又は歪むため、一対のソケット部が互いに異なる方向に向く場合がある。この場合、一対のソケット部により蛍光ランプを直線的に保持することができないため、当該蛍光ランプをうまく取り付けることができない可能性がある。また、取り付けることができたとしても前記ピンと前記ソケット部との電気的に接続が不十分となる可能性がある。
【０００５】
本発明は、上記事情に鑑みて創案されたものであって、その目的とするところは、反りや歪みのある取付面に取り付けた場合であっても、蛍光ランプを直線的に保持することができ且つ蛍光ランプとの安定した電気接続を図ることができる照明装置を提供することにある。
【課題を解決するための手段】
【０００６】
上記課題を解決するために、本発明の照明装置は、蛍光ランプの口金から突出したピンと接続されるソケット部と、このソケット部を支持する支持板と、前記ソケット部の接続面を露出させた状態で、当該ソケット部及び支持板を収容する筐体とを備えており、前記筐体の幅方向の両内壁面には、幅寸法が前記支持板の厚み寸法よりも若干大きい一対の溝部が長さ方向に沿って設けられており、前記支持板は前記一対の溝部に遊嵌されるようになっていることを特徴としている。
【０００７】
この照明装置は、前記支持板に前記ソケット部を揺動可能に取り付けるための取付手段を更に有する。この取付手段は、前記ソケット部と前記支持板とを取り付ける取付部材と、この取付部材と前記支持板との間に介在するスプリングとを有した構成となっている。
【０００８】
また、前記照明装置は、先端部が前記ソケット部の接続面よりも上方に突出し且つ前記蛍光ランプの口金を弾性保持する保持部を更に有した構成とすることができる。この場合、前記ソケット部の接続面には前記保持部に保持されることより前記蛍光ランプの口金に押圧されるパッキン部が設けられている。
【０００９】
前記支持板は、前記一対の溝部に前記筐体の長さ方向に沿って移動自在に嵌まり込むようにしても良い。この場合、前記筐体の長さ方向の一方の内壁面と前記ソケット部との間には弾性体を介在させる。
【００１０】
前記ソケット部の前記長さ方向の一端部には、蛍光ランプの口金が当接する突起部を設けることができる。この突起部は蛍光ランプの口金をガイドし、当該蛍光ランプのピンを前記ソケット部の接続面の接続穴に挿入させるようになっていることが好ましい。
【発明の効果】
【００１１】
本発明の請求項１に係る照明装置による場合、筐体の幅方向の両内壁面に、幅寸法が前記支持板の厚み寸法よりも若干大きい一対の溝部が長さ方向に沿って設けられている。ソケット部を支持する支持板は前記一対の溝部に遊嵌されるようになっている。このため、取付面の反りや歪みに応じて、前記支持板の両端部が一対の溝部内で揺動し、当該取付面の反りや歪みを吸収する。従って、反りや歪みのある取付面に取り付けた場合であっても、蛍光ランプを直線的に保持することができ且つ蛍光ランプとの安定した電気接続を図ることができる。
【００１２】
本発明の請求項２に係る照明装置による場合、前記ソケット部を前記支持板に揺動可能に取り付けるための取付手段が、前記ソケット部と前記支持板とを取り付ける取付部材と、この取付部材と前記支持板との間に介在するスプリングとを有した構成となっている。このため、取付面の反りや歪みに応じて、スプリングが取付部材と支持板との間で各々圧縮され、その反りや歪みを吸収することができるので、請求項１の照明装置よりも更に大きな反りや歪みのある取付面に取り付けた場合であっても、蛍光ランプを直線的に保持することができ且つ蛍光ランプとの安定した電気接続を図ることができる。
【００１３】
本発明の請求項３に係る照明装置による場合、保持部が蛍光ランプの口金を弾性保持することにより、当該蛍光ランプの口金が前記ソケット部の接続面のパッキン部に押圧するようになっている。このため、蛍光ランプの口金とソケット部の接続面との密閉性を保つことができるので、風雨に晒される屋外への設置に適した照明装置とすることができる。
【００１４】
本発明の請求項４に係る照明装置による場合、支持板が筐体の一対の溝部に当該筐体の長さ方向に沿って移動自在に嵌まり込んでおり、前記筐体の長さ方向の一方の内壁面と前記ソケット部との間には弾性体が介在している。このため、蛍光ランプをソケット部に取り付けると、当該ソケット部が、前記支持板と共に、前記長さ方向に沿って移動し、前記弾性体が弾性変形する。これにより、前記蛍光ランプの長さの寸法公差を吸収することができるので、蛍光ランプを取り付け易くすることができる。
【００１５】
本発明の請求項５に係る照明装置による場合、前記ソケット部の前記長さ方向の一端部には、蛍光ランプの口金が当接する突起部が設けられているので、蛍光ランプを取り付ける際に、蛍光ランプの口金を前記突起部に当接させることにより、ソケット部及び支持板を前記長さ方向に移動させることができるので、蛍光ランプを更に取り付け易くすることができる。
【００１６】
本発明の請求項６に係る照明装置による場合、前記突起部は蛍光ランプの口金をガイドし、当該蛍光ランプのピンを前記ソケット部の接続面の接続穴に挿入させるようになっているので、蛍光ランプを更に取り付け易くすることができる。
【発明を実施するための最良の形態】
【００１７】
以下、本発明の実施の形態に係る照明装置について図面を参照しながら説明する。図１は本発明の実施の形態に係る照明装置の概略的正面図、図２は同装置に使用される蛍光ランプを示す図であって、( ａ) が正面図、( ｂ）が長さ方向の一端部の側面図、図３は同装置の側面図、図４は同装置の長さ方向の一端部の一部の内部構造を示した概略的平面図、図５は同装置のＡーＡ断面図であって、( ａ) が蛍光ランプを取り付けた状態を示す図、( ｂ) が蛍光ランプを取り外し状態を示す図、図６は同装置の長さ方向の一端部のＢーＢ断面図、図７は同装置のＣーＣ断面図、図８は同装置の模式的ＡーＡ断面図であって、( ａ) が支持板が第１の溝部内をα方向に揺動した状態を示す図、( ｂ）はソケット部が支持板上でα方向に揺動した状態を示す図、図９は同装置の長さ方向の一端部の模式的ＢーＢ断面図であって、( ａ) が支持板が第１の溝部内をβ方向に揺動した状態を示す図、( ｂ）はソケット部が支持板上でβ方向に揺動した状態を示す図、図１０は同装置のソケット部の設計変更例を示す図であって、( ａ) が側面図、( ｂ）が平面図、図１１は同装置のソケット部の別の設計変更例を示す図であって、( ａ) が正面図、( ｂ）が長さ方向の一端部の側面図である。
【００１８】
ここに掲げる照明装置は、蛍光ランプＬの口金２０から突出したピン２１が接続されるソケット部１００と、このソケット部１００を支持する支持板２００と、ソケット部１００を支持板２００に揺動可能に取り付けるための取付手段３００と、蛍光ランプＬの口金２０を弾性保持する保持部４００と、ソケット部１００の接続面を露出させた状態で、ソケット部１００、支持板２００、取付手段３００及び保持部４００の基端部を収容する筐体５００と、この筐体５００の板部５３０とソケット部１００との間に介在する弾性体６００とを具備している。
【００１９】
一方、前記照明装置にセットされる蛍光ランプＬは、図１及び図２に示すように、ランプ本体１０と、このランプ本体１０の長さ方向の両端部に、当該長さ方向と直交する方向に向けて設けられた一対の口金２０とを有する。この口金２０の下面には、一対のピン２１が設けられている。また、口金２０の幅方向の両側面には、長さ方向に向けた一対の凸脈２２が設けられている。
【００２０】
以下、前記照明装置の各部について詳しく説明する。
【００２１】
筐体５００は、図３、図４、図５及び図６に示すように、矩形状の箱であって、断面視凹字状の筐体本体５１０と、この筐体本体５１０の上端に置かれる反射板５２０と、筐体本体５１０の長さ方向の両端に取り付けられる板部５３０とを有する。
【００２２】
筐体本体５１０の幅方向の両端部の内壁面の中央部には、図５に示すように、一対の第１の溝部５１１が長さ方向に沿って設けられている。この筐体本体５１０の前記内壁面の下端部には、一対の第２の溝部５１２が長さ方向に沿って設けられている。また、筐体本体５１０の幅方向の両端部の先端には、反射板５２０の係止片５２２を係止するための係止凸部５１３が設けられている。
【００２３】
第１の溝部５１１は、支持板２００が揺動可能に遊嵌する溝であって、幅寸法が支持板２００の厚み寸法よりも若干大きくなっている。この第１の溝部５１１の幅方向の一対のリブ部は、支持板２００の揺動可能範囲を規制する機能を果たす。また、第１の溝部５１１は、その長さ寸法が支持板２００の長さ寸法よりも長くなっており、支持板２００を長さ方向に移動自在に保持する。第２の溝部５１２は、後述する反射板固定金具７００が取り付けられる溝である。
【００２４】
板部５３０は、図３に示すように、下方の一対の角部が切り欠かれており、当該切欠き部が筐体本体５１０に取り付けられた状態で、気温の寒暖等により筐体本体５１０に溜まった水を抜くための水抜孔５３１となる。また、板部５３０には、後述する点灯装置に接続された図示しない電源ケーブルを外部に導出するための導出孔５３２が設けられている。
【００２５】
反射板５２０は、少なくとも蛍光ランプＬのランプ本体１０と対向する面が反射加工された板状体である。この反射板５２０の長さ方向の両端部には、図４に示すように、ソケット部１００を外部に露出させるための一対の切欠き部５２１が設けられている。この反射板５２０の幅方向の両端部には、筐体本体５１０の幅方向の両端部の係止凸部５１３に係止される係止片５２２が設けられている。この係止片５２２が筐体本体５１０の係止凸部５１３に係止されることにより、反射板５２０が筐体５１０の上面開口を塞ぐ蓋として機能する。
【００２６】
反射板固定金具７００は、図７に示すように、断面視Ω状に折り曲げた板状体であって、幅方向の両端部が筐体本体５１０の一対の第２の溝部５１２に嵌まり込むことにより、当該筐体本体５１０に取り付けられる。この反射板固定金具７００の頂部が反射板５２０とネジ止めされることにより、反射板５２０を筐体本体５１０に固定する。
【００２７】
ソケット部１００は、図５及び図６に示すように、ソケット本体１１０と、このソケット本体１１０が嵌まり込むボディ１２０とを有する。
【００２８】
ソケット本体１１０は、図４に示すように、上面( 即ち、接続面) に蛍光ランプＬの一対のピン２１が挿入される一対の接続穴１１１が設けられている。また、ソケット本体１１０の上面の一対の接続穴１１１の回りには、略円形のゴム製のパッキン部１１２が設けられている。ソケット本体１１０の内部には、一対の接続穴１１１に挿入された一対のピン２１と電気的に接続される図示しない一対の端子部と、この一対の端子部と電気的に接続された一対の電線１１３とが設けられている。この電線１１３は一端部がソケット本体１１０の外部に引き出されており、蛍光ランプＬを点灯させるための図示しない点灯装置に接続される。
【００２９】
ボディ１２０は、図５及び図６に示すように、ソケット本体１１０が嵌まり込む嵌合部１２１と、蛍光ランプＬの口金２０が当接する突起部１２２と、弾性体６００をガイドし且つ保持するためのガイド突起１２３とを有している。嵌合部１２１はボディ１２０の長さ方向の一端側の上面に設けられた凹部である。
【００３０】
突起部１２２はボディ１２０の長さ方向の他端部( 即ち、一端部) に上方に向けて設けられた断面視Ｌ字状の部材であって、上端部が蛍光ランプＬの口金２０の後端部の形状に沿う円弧状となっている。この突起部１２２が蛍光ランプＬの口金２０に押されることにより、ボディ１２０、ソケット本体１１０及び支持板２００が筐体５００の長さ方向に移動する。また、突起部１２２は、蛍光ランプＬの口金２０の後端部をガイドし、当該蛍光ランプＬの一対のピン２１をソケット本体１１０の一対の接続穴１１１に導くようになっている。
【００３１】
ガイド突起１２３は、図６に示すように、ボディ１２０の長さ方向の他端部の突起部１２２の下方位置に設けられた円柱体である。
【００３２】
保持部４００は、図４、図５及び図６に示すように、ソケット部１００のボディ１２０の下面に取り付けられる凹字状の弾性部材であって、先端部がソケット部１００の上面よりも上方に突出している。この保持部４００の先端部は、４つに分割され、内側に向けて略く字状に折り曲げた爪部４１０が各々設けられている。この爪部４１０が蛍光ランプＬの口金２０の凸脈２２を係止することにより、蛍光ランプＬを保持する。なお、保持部４００の先端部を４つに分割したことにより、蛍光ランプＬの口金２０が着脱し易い保持力としている。
【００３３】
支持板２００は、図５に示すように、断面視逆Ω状に折り曲げた板状体である。この支持板２００は、その幅方向の両端部が筐体５００の一対の第１の溝部５１１に揺動可能に遊嵌すると共に、一対の第１の溝部５１１に長さ方向に移動自在に保持される。
【００３４】
取付手段３００は、図５及び図６に示すように、ソケット部１００のボディ１２０の下面に支持板２００及び保持部４００を取り付ける一対の取付部材３１０と、この一対の取付部材３１０のヘッド部と支持板２００との間に介在する一対のスプリング３２０とを有する。一対の取付部材３１０は、支持板２００及び保持部４００の図示しない孔部に通され、ボディ１２０の図示しないネジ穴に螺合するネジ部材である。この一対の取付部材３１０は、ボディ１２０の幅方向に並べて取り付けられる。
【００３５】
一対のスプリング３２０は、コイルスプリングであって、詳しくは後述するが、支持板２００の揺動可能範囲を超えた場合に、当該支持板２００と取付部材３１０のヘッド部との間で各々圧縮される。これにより、ソケット部１００が支持板２００上で揺動し、取付面の反りや歪みを吸収する。
【００３６】
弾性体６００は、図４及び図６に示すように、中央部が凸となるように湾曲させた板バネである。この弾性体６００の中央部には、ガイド突起１２３が挿入される円形の開口６１０が設けられている。即ち、弾性体６００は、中央部の開口６１０にボディ１２０のガイド突起１２３が挿入される一方、長さ方向の両端部が筐体５００の板部５３０の内面( 即ち、長さ方向の内壁面) に当接することにより、筐体５００の板部５３０とボディ１２０との間に介在する。
【００３７】
以下、このような構成の照明装置の組み立て方法について説明する。まず、筐体５００の筐体本体５１０に板部５３０を取り付けると共に、反射板固定金具７００の両端部を筐体本体５１０の一対の第２の溝部５１２に嵌め込む。
【００３８】
その一方で、ソケット部１００を組み立てる。まず、ソケット部１００のソケット本体１１０をボディ１２０の嵌合部１２１に嵌合させる。そして、ボディ１２０に保持部４００及び支持板２００を取付手段３００の取付部材３１０により取り付ける。このとき、取付部材３１０のヘッド部と支持板２００との間には、スプリング３２０を介在させる。その後、弾性体６００の開口６１０にボディ１２０のガイド突起１２３を挿入する。
【００３９】
このように組み立てられたソケット部１００のボディ１２０に取り付けられた支持板２００の両端部を、筐体本体５１０の一対の第１の溝部５１１に嵌め込む。これにより、弾性体６００が筐体５００の板部５３０の内面とボディ１２０との間に介在する。
【００４０】
その後、筐体本体５１０上に反射板５２０を置き、当該反射板５２０と反射板固定金具７００とをネジ止めする。
【００４１】
以下、このようにして組み立てられた前記照明装置の使用方法を説明すると共に、各部の動作について説明する。まず、筐体５００を反り又は歪みがある取付面に取り付ける。すると、筐体５００が取付面の反り又は歪みに応じて反る又は歪む。
【００４２】
その後、ソケット部１００のソケット本体１１０に蛍光ランプＬの口金２０を近づける。すると、蛍光ランプＬの口金２０がソケット部１００のボディ１２０の突起部１２２にガイドされ、当該蛍光ランプＬの一対のピン２１がソケット本体１１０の一対の接続穴１１１に挿入される。
【００４３】
このとき、保持部４００の先端部の爪部４１０が蛍光ランプＬの口金２０の凸脈２２を乗り越えて係止し、蛍光ランプＬを保持する。このように蛍光ランプＬが保持部４００に保持されると、当該保持部４００の付勢力により蛍光ランプＬの口金２０をソケット本体１１０のパッキン部１１２に押圧させる。これにより、蛍光ランプＬとソケット本体１１０との間の密閉性が保たれる。
【００４４】
この蛍光ランプＬの取付過程において、支持板２００の両端部が、ソケット部１００と共に、筐体５００の筐体本体５１０の一対の第１の溝部５１１内を、図８及び図９に示すように、α方向又はβ方向に揺動する。
【００４５】
前記取付面の反りや歪みが大きい場合には、α方向に揺動した支持板２００は、図８( ｂ）に示すように、幅方向の一端部が一方の第１の溝部５１１の幅方向の一端部に当接し、幅方向の他端部が他方の第１の溝部５１１の幅方向の他端部に当接する( 即ち、支持板２００の揺動が許容範囲を超える) 。すると、取付手段３００の一方のスプリング３２０が、他方のスプリング３２０よりも、当該支持板２００と取付部材３１０のヘッド部との間で圧縮される。これにより、ソケット部１００が支持板２００上でα方向に揺動する( 支持板２００から浮き上がる) 。
【００４６】
β方向に揺動した支持板２００は、図９( ｂ）に示すように、幅方向の両端部の一端部が一対の第１の溝部５１１の幅方向の一端部に当接し、幅方向の両端部の他端部が一対の第１の溝部５１１の幅方向の他端部に当接する( 即ち、支持板２００の揺動が許容範囲を超える) 。すると、取付手段３００の一対のスプリング３２０の第２方向の一方側の部位が、他方側の部位よりも、当該支持板２００と取付部材３１０のヘッド部との間で圧縮される。これにより、ソケット部１００が支持板２００上でβ方向に揺動する( 支持板２００から浮き上がる) 。
【００４７】
なお、前記取付面の反りや歪みによっては、支持板２００がα方向及びβ方向を複合した方向に揺動する場合がある。当該取付面の反りや歪みが大きい場合には、取付手段３００の一対のスプリング３２０が、上述した圧縮を複合した形で圧縮される。これにより、ソケット部１００が支持板２００上で第１及びβ方向を複合した方向に揺動する( 支持板２００から浮き上がる) 。このようにして筐体５００を通じて作用する取付面の各種の反り又は歪みが吸収され、蛍光ランプＬを直線的に保持することが可能になる。
【００４８】
また、蛍光ランプＬの取付過程において、蛍光ランプＬの口金２０にソケット部１００のボディ１２０の突起部１２２が押されると、当該ボディ１２０、ソケット本体１１０及び支持板２００が筐体本体５１０の一対の第１の溝部５１１内を長さ方向に沿って移動する。これにより、弾性体６００が筐体５００の板部５３０とボディ１２０との間で圧縮され、蛍光ランプＬの長さの寸法公差を吸収する。
【００４９】
このような照明装置による場合、取付面の反りや歪みに応じて、支持板２００の両端部が筐体５００の一対の第１の溝部５１１内で揺動し、当該取付面の反りや歪みを吸収する。しかも、前記取付面の反りや歪みが大きく、当該反りや歪みを支持板２００の揺動で吸収できない場合には、取付手段３００の一対のスプリング３２０が一対の取付部材３１０のヘッド部と支持板２００との間で各々圧縮され、その反りや歪みを吸収することができる。従って、各種の反りや歪みのある取付面に取り付けた場合であっても、蛍光ランプＬを直線的に保持することができ且つ蛍光ランプＬとの安定した電気接続を図ることができる。
【００５０】
更に、蛍光ランプＬの取付過程において、蛍光ランプＬの口金２０にソケット部１００のソケット部１００のボディ１２０の突起部１２２が押されることにより、ソケット部１００及び支持板２００が筐体本体５１０の一対の第１の溝部５１１内を長さ方向に沿って移動し、弾性体６００が筐体５００の板部５３０とボディ１２０との間で圧縮されることにより、蛍光ランプＬの長さの寸法公差を吸収するようになっている。よって、蛍光ランプＬの寸法公差により、当該蛍光ランプＬのソケット部１００への取り付け又は電気接続が困難になるのを防止することができる。
【００５１】
なお、この照明装置については、蛍光ランプの口金から突出したピンが接続されるソケット部と、このソケット部を支持する支持板と、前記ソケット部の接続面を露出させた状態で、当該ソケット部及び支持板を収容する筐体とを備えており、前記筐体の幅方向の両内壁面には、幅寸法が前記支持板の厚み寸法よりも若干大きい一対の溝部が長さ方向に沿って設けられており、前記支持板は前記一対の溝部に遊嵌されるようになっている限りどのような設計変更を行ってもかまわない。
【００５２】
ソケット部１００については、ソケット本体１１０とボディ１２０とを有するとしたが、図１０に示すように、これらを一体的に設けることも可能である。また、ソケット部１００のソケット本体１１０には、パッキン部１１２が設けられているとしたが、設けるか否かは任意である。更に、ソケット部１００のボディ１２０には、突起部１２２が設けられているとしたが、設けるか否かは任意である。即ち、図１１に示すように、突起部１２２を省略することができる。この突起部１２２については、蛍光ランプＬの口金２０が当接することにより、ボディ１２０を筐体５００の長さ方向に移動させるものであれば良く、その形状は任意である。
【００５３】
支持板２００については、ソケット部１００を支持でき且つ筐体５００の一対の第１の溝部５１１に遊嵌可能であれば、どのような物であってもかまわない。即ち、支持板２００の形状は、断面視略逆Ω字状であるとしたが、これに限定されるものではない。
【００５４】
取付手段３００については、設けるか否かは任意である。この場合、支持板２００とソケット部１００とは、接着剤や両面テープ等で接着させるようにしても良いし、図１１に示すように、ネジやピン等で取り付けるようにしても良い。勿論、支持板２００とソケット部１００とを一体的に構成することも可能である。この取付手段は、取付部材３１０が２つ、スプリング３２０が２つであるとしたが、これに限定されるものではない。即ち、１又は３以上の取付部材３１０、スプリング３２０を有するように設計変更することが可能である。また、一対の取付部材３１０は、ボディ１２０の下面に、幅方向に並べて取り付けられるとしたが、ボディ１２０の下面に、長さ方法に並べて取り付けることも可能である。なお、取付部材３１０は、ピン等で代用可能であることはいう迄もない。
【００５５】
保持部４００については、先端部がソケット部１００の接続面よりも上方に突出し且つ蛍光ランプＬの口金２０を弾性保持し得るものであればどのような物であってもかまわない。この保持部４００は、ソケット部１００のソケット本体１１０にパッキン部１１２が設けられている場合には、爪部４１０を有していることが望ましいが、有していないくても良い。また、保持部４００はソケット部１００と一体的に設けることが可能である。保持部４００の先端部は、図１１に示すように、４つに分割しなくても良い。なお、４つ以外に分割することが可能であることはいう迄もない。
【００５６】
筐体５００については、幅方向の内壁面に一対の第１の溝部５１１が設けられている箱体であれば、どのようなものを用いてもかまわない。この第１の溝部５１１は、幅寸法が支持板２００の厚み寸法よりも若干大きいものであれば良い。
【００５７】
弾性体６００については、支持板２００が筐体５００の第１の溝部５１１を長さ方向に移動可能となっていない場合には、設ける必要がない。この弾性体６００は、板バネであるとしたが、コイルスプリング等のその他のバネ材やゴム等の弾性体で代用可能である。
【００５８】
蛍光ランプＬについては、口金２０がランプ本体１０の長さ方向の両端部に、当該長さ方向と直交する方向に設けられているものであるとしたが、これに限定されるものではない。即ち、口金がランプ本体の長さ方向の両端部に長さ方向に沿って設けられている蛍光ランプにおいても、一応適応可能である。
【図面の簡単な説明】
【００５９】
【図１】本発明の実施の形態に係る照明装置の概略的正面図である。
【図２】同装置に使用される蛍光ランプを示す図であって、( ａ) が正面図、( ｂ）が長さ方向の一端部の側面図である。
【図３】同装置の側面図である。
【図４】同装置の長さ方向の一端部の一部の内部構造を示した平面図である。
【図５】同装置のＡーＡ断面図であって、( ａ) が蛍光ランプを取り付けた状態を示す図、( ｂ) が蛍光ランプを取り外し状態を示す図である。
【図６】同装置の長さ方向の一端部のＢーＢ断面図である。
【図７】同装置のＣーＣ断面図である。
【図８】同装置の模式的ＡーＡ断面図であって、( ａ) が支持板が第１の溝部内をα方向に揺動した状態を示す図、( ｂ）はソケット部が支持板上でα方向に揺動した状態を示す図である。
【図９】同装置の長さ方向の一端部の模式的ＢーＢ断面図であって、( ａ) が支持板が第１の溝部内をβ方向に揺動した状態を示す図、( ｂ）はソケット部が支持板上でβ方向に揺動した状態を示す図である。
【図１０】同装置のソケット部の設計変更例を示す図であって、( ａ) が側面図、( ｂ）が平面図である。
【図１１】同装置のソケット部の別の設計変更例を示す図であって、( ａ) が正面図、( ｂ）が長さ方向の一端部の側面図である。
【符号の説明】
【００６０】
Ｌ      蛍光ランプ
１０    ランプ本体
２０    口金
２１    ピン
１００  ソケット部
１１０  ソケット本体
１１１  接続穴
１２０  ボディ
１２２  突起部
２００  支持板
３００  取付手段
３１０  取付部材
３２０  スプリング
４００  保持部
５００  筐体
５１１  溝部
６００  弾性体
【図１】
2008218211.tif 000003
【図２】
2008218211.tif 000004
【図３】
2008218211.tif 000005
【図４】
2008218211.tif 000006
【図５】
2008218211.tif 000007
【図６】
2008218211.tif 000008
【図７】
2008218211.tif 000009
【図８】
2008218211.tif 000010
【図９】
2008218211.tif 000011
【図１０】
2008218211.tif 000012
【図１１】
2008218211.tif 000013